(57)【特許請求の範囲】
【請求項１】
排水口を覆うための排水口蓋であって、
排水口履設時に露出する第１面、これとは反対の第２面、並びに当該第１面および第２面の間を貫通する複数の開口部、を有する金属板と、
前記第２面の側に設けられて前記金属板と積層構造をなし、且つ、それぞれが前記複数の開口部のうちの一つに嵌まり込み且つ前記第１面の側にて前記金属板から一部が突き出る複数の嵌合部を有する、樹脂体と、を備えることを特徴とする、排水口蓋。
【請求項２】
請求項１に記載の排水口蓋であって、
前記嵌合部は、前記第１面に張り出すアンカー部を有する、排水口蓋。
【請求項３】
請求項１に記載の排水口蓋であって、
前記嵌合部は、前記開口部内に収まって前記第１面と面一の主部と、前記開口部の開口サイズより小サイズで前記主部上に起立して前記第１面の側にて前記金属板から突き出る突起部とを有する、排水口蓋。
【請求項４】
請求項１ないし３のいずれかに記載の排水口蓋であって、
前記開口部は、前記第２面側から前記第１面側にかけて広がっている、排水口蓋。
【請求項５】
請求項１ないし４に記載の排水口蓋であって、
前記金属板は、当該金属板の縁端において前記第１面および前記第２面の間にわたる周側面を有し、
前記樹脂体は、前記周側面を覆う周枠部を有する、排水口蓋。
【請求項６】
請求項５に記載の排水口蓋であって、
前記周枠部は、前記第１面側にて前記金属板から突き出て前記第１面に張り出すアンカー部を有する、排水口蓋。
【発明の詳細な説明】
【技術分野】
【０００１】
本発明は、排水口を覆うための排水口蓋に関する。
【背景技術】
【０００２】
浴室の床などに設けられる排水口に対しては、当該排水口を覆うように排水口蓋が配設される（例えば特許文献１〜３）。排水口蓋については、デザイン性や掃除性の観点から金属製のものが求められる場合がある。
【０００３】
しかしながら、金属製の排水口蓋は、金属板材のみによって蓋体としての強度を確保できる程度に厚くすると、取り扱う者にとっての重量感が増す。そのため、比較的薄い金属板材を用いてそれを補強し、排水口蓋の軽量化を図ることが望まれる。また、金属表面一般は特に濡れている状態では滑りやすいところ、排水口蓋の配設箇所の用途等に応じて、排水口蓋の金属意匠面について滑り止めに関する対応が望まれる場合がある。例えば、浴室床の排水口に履設される排水口蓋には、浴室使用時の転倒防止の観点から滑り止めに関する対応が望まれる。
【先行技術文献】
【特許文献】
【０００４】
【特許文献１】特開平８−１５４８５５号公報
【特許文献２】特開平９−１２５４７９号公報
【特許文献３】特許第４４３７８５３号公報
【発明の概要】
【発明が解決しようとする課題】
【０００５】
本発明は、前記したような事情の下で考え出されたものであり、金属意匠面をなす金属板を補強しつつ当該意匠面において滑り止め効果を得るのに適した排水口蓋を提供することを、その課題としている。
【課題を解決するための手段】
【０００６】
上記の課題を解決するため、本発明では、次の技術的手段を講じている。
【０００７】
本発明により提供される排水口蓋は、排水口を覆うためのものであり、金属板と樹脂体とを備える。金属板は、排水口履設時に露出する第１面と、これとは反対の第２面と、当該第１面および第２面の間を貫通する複数の開口部とを有する。樹脂体は、第２面の側に設けられて金属板と積層構造をなし、且つ、複数の嵌合部を有する。複数の嵌合部は、それぞれ、金属板の複数の開口部のうちの一つに嵌まり込み、且つ、金属板第１面の側にて金属板から一部が突き出る。
【０００８】
このような本排水口蓋においては、樹脂体の各嵌合部が金属板開口部に係止されて金属板と樹脂体との間の固定を担い、金属板と樹脂体との積層構造が一体化される。したがって、本排水口蓋によると、排水口履設時に露出する金属板第１面によってデザイン性・掃除性に優れた金属意匠面を構成しつつ、金属板と樹脂体との積層構造をもって、排水口蓋に要求される強度を確保することができる。また、本排水口蓋においては、各嵌合部の一部が金属板第１面の側にて金属板から突き出る。このような構成は、金属板第１面ないし金属意匠面における滑り止め効果を得るのに適する。以上のように、本発明に係る排水口蓋は、金属意匠面をなす金属板を補強しつつ当該意匠面において滑り止め効果を得るのに適するのである。
【０００９】
本発明において、好ましくは、嵌合部は、第１面に張り出すアンカー部を有する。このような構成は、金属板と樹脂体との間の固定に資する。
【００１０】
本発明において、好ましくは、嵌合部は、開口部内に収まって第１面と面一の主部と、開口部の開口サイズより小サイズで主部上に起立して第１面の側にて金属板から突き出る突起部とを有する。ここで、開口部の開口サイズとは、金属板第１面の広がり方向における、開口部の開口径などのサイズをいう。嵌合部の突起部は、金属板第１面の広がり方向において、開口部の開口サイズより小さい寸法を有するのである。このような構成は、例えば浴室などにて本排水口蓋を足の裏で踏んだ場合の当該足の裏に対する突起部の接触面積を小さくするうえで好ましく、従って、高い滑り止め効果を得るうえで好ましい。また、本構成によると、滑り止め効果の観点から、嵌合部において主部とは独立に突起部について寸法を設計することが可能である。
【００１１】
本発明において、好ましくは、開口部は、第２面側から第１面側にかけて広がっている。このような構成は、樹脂体本体から延出する各嵌合部の金属板開口部に対する係止状態を高めるのに好適であり、従って、金属板と樹脂体との間をより強固に固定するのに適する。
【００１２】
本発明において、好ましくは、金属板は、当該金属板の縁端において第１面および第２面の間にわたる周側面を有し、樹脂体は、周側面を覆う周枠部を有する。このような構成は、金属板と樹脂体との間の固定に資するのに加え、取扱者が誤って落すことによる危険性を低減するのに適する。本排水口蓋では、樹脂体の周枠部が金属板の周側面を覆い、金属板における第２面の縁端にも第１面の縁端にも接する。すなわち、当該両縁端ともにエッジ形状が剥き出しになっていない。そのため、本排水口蓋が取り扱われる最中に誤って落下した場合であっても、金属板における縁端が取扱者身体を傷つけるのを防ぐことができるのである。また、周枠部は、金属板縁端の金属エッジによって取扱者に擦り傷が生じるのを防止する機能も有する。
【００１３】
本発明において、好ましくは、周枠部は、第１面側にて金属板から突き出て第１面に張り出すアンカー部を有する。このような構成は、金属板第１面側において突き出るアンカー部をもって当該表面における滑り止め効果を得るのに適するのに加え、金属板と樹脂体との間の固定に資する。
【００１４】
本発明のその他の特徴および利点は、添付図面を参照して以下に行なう発明の実施の形態の説明から、より明らかになるであろう。
【図面の簡単な説明】
【００１５】
【図１】本発明の一の実施形態に係る排水口蓋の斜視図である。
【図２】図１に示す排水口蓋の裏面図である。
【図３】（ａ）は、図１のIII−III断面図であり、（ｂ）は、（ａ）の部分拡大図である。
【図４】図１に示す排水口蓋が排水口に履設された状態を表す平面図である。
【図５】図４のV−V断面図である。
【図６】本発明の他の実施形態に係る排水口蓋の斜視図である。
【図７】（ａ）は図６のVII−VII断面図であり、（ｂ）は、（ａ）の部分拡大図である。
【図８】図７に示す排水口蓋の変形例の部分拡大図である。
【図９】（ａ）は、本発明の他の実施形態に係る排水口蓋の断面図であり、（ｂ）は、（ａ）の部分拡大図である。
【図１０】図９に示す排水口蓋の変形例の部分拡大図である。
【図１１】（ａ）は、本発明の他の実施形態に係る排水口蓋の断面図であり、（ｂ）は、（ａ）の部分拡大図である。
【図１２】本発明の他の実施形態に係る排水口蓋の斜視図である。
【図１３】図１２に示す排水口蓋の裏面図である。
【図１４】図１２のXIV−XIV断面図である。
【発明を実施するための形態】
【００１６】
以下、本発明の好ましい実施の形態について、図面を参照して具体的に説明する。
【００１７】
図１から図３は、本発明の一の実施形態に係る排水口蓋Ｘ１を表す。排水口蓋Ｘ１は、浴室の床などに凹設された排水口を覆うためのものであり、金属板１０と樹脂体２０とを備える。
【００１８】
金属板１０は、上面１１と、下面１２と、周側面１３と、複数の開口部１４と、複数の開口部１５とを有する。金属板１０の厚さは、例えば０．３〜１０ｍｍである。また、金属板１０は、例えば、ＳＵＳ３０４などのステンレスまたは銅よりなる。
【００１９】
上面１１は、排水口に対して排水口蓋Ｘ１が履設された状態で外部に露出する面であり、排水口蓋Ｘ１の露出意匠面の主要部である。このような上面１１は、本発明に係る排水口蓋の金属板の第１面であり、また、下面１２は、本発明に係る排水口蓋の金属板の第２面である。周側面１３は、図３（ｂ）によく表れているように、金属板１０の縁端において上面１１および下面１２の間にわたって広がる。複数の開口部１４は、それぞれ、上面１１および下面１２の間を貫通する。複数の開口部１５は、それぞれ、上面１１および下面１２の間を貫通し、液体が通流可能なように空いている。
【００２０】
樹脂体２０は、本体部２１と、複数の嵌合部２２と、周枠部２３と、一対の凸部２４とを有し、金属板１０の下面１２側に設けられて金属板１０と積層構造をなす。
【００２１】
本体部２１は、金属板１０を支持可能な寸法・形状で形成され、切欠き２１ａ，２１ｂおよび複数の開口部２１ｃを有する。各開口部２１ｃは、図３（ａ）によく表れているように、金属板１０の開口部１５に連通する。すなわち、開口部１５とこれに連通する開口部２１ｃは、金属板１０および樹脂体２０を貫通して液体が通流可能な開口部をなす。また、本体部２１は、図３（ｂ）によく表れているように、金属板１０の下面１２における縁端１２ａに接して当該縁端１２ａを超えて図中横方向に広がる。
【００２２】
複数の嵌合部２２は、それぞれ、金属板１０の開口部１４に嵌まり込んで係止されている。また、各嵌合部２２は、図３（ｂ）によく表れているように、上面１１側にて金属板１０から突き出る先端部２２ａを有する。先端部２２ａが金属板１０ないし上面１１から突き出る高さは、例えば０．１〜１ｍｍである。
【００２３】
周枠部２３は、本体部２１上において金属板１０を取り囲むように立設され、図３（ｂ）によく表れているように、金属板１０の周側面１３を覆って金属板１０の上面１１の縁端１１ａに接する。周枠部２３の先端２３ａと金属板１０の上面１１とは面一である。
【００２４】
一対の凸部２４は、図１に示すように、本体部２１における切欠き２１ａと同じ側において、当該切欠き２１ａを間に配するように離隔して設けられている。
【００２５】
このような樹脂体２０は、例えば、繊維強化樹脂よりなる。繊維強化樹脂としては、例えば、ポリプロピレンを連続ガラス繊維で強化したシート複合材料を用いることができる
。また、樹脂体２０は、黒色や濃褐色などの暗色に着色されている。例えば、樹脂体２０をなす樹脂材料として、カーボンブラック粉末を添加したものを用いることにより、黒色に着色された樹脂体２０とすることができる。
【００２６】
排水口蓋Ｘ１は、次のようにして製造することができる。まず、繊維強化された熱可塑性樹脂材料と金属板１０とを所定の配向で重ね合わせたものに対し、所定の加熱温度・加熱タイミングで加熱軟化処理を施したうえで、金型を使用してプレス成型加工を施す。使用される金型は、排水口蓋Ｘ１の樹脂体２０の外郭形状を成形するように設計された内表面形状を有する。したがって、プレス成型工程では、樹脂材料の一部が金属板１０の開口部１４に入り込んで充填される一方で、開口部２１ｃを伴う本体部２１が成形されて金属板１０の開口部１５には樹脂材料が入り込まないようにして、樹脂体２０が成形される。プレス成型工程の際に開口部１４に充填された部分が嵌合部２２をなすこととなる。次に、プレス成型工程を経た後に固まった樹脂材料から、樹脂体２０部分を残して不要な部位を切断除去等する。例えばこのようなスタンパブル成形技術により、排水口蓋Ｘ１を製造することができる。
【００２７】
このような方法に代えて、排水口蓋Ｘ１は、金属板１０および樹脂体２０のそれぞれを個別に作製した後、金属板１０側の一組の開口部１４に対して樹脂体２０側の一組の嵌合部２２を嵌め込むことによって製造してもよい。
【００２８】
排水口蓋Ｘ１は、例えば図４および図５に示すように、浴室床３０などに凹設された排水口３１に対して履設して使用される。浴室床３０は、浴室床３０上の水などが排水口３１に向かって流れ進むような、全体的な傾斜構造および各部の傾斜構造を有する。排水口３１は、排水口蓋Ｘ１を受け入れて下方から支持できる構造の受け口３１ａを有する。排水口蓋Ｘ１は、排水口履設状態において浴室床３０と排水口蓋Ｘ１の上面とが面一となり且つ受け口３１ａとの間で水平方向に隙間Ｇ，Ｇ’ができるような、設計寸法を有する。
【００２９】
排水口３１に向けて浴室床３０上を流れ進んだ水などは、排水口蓋Ｘ１に至ると、隙間Ｇ，Ｇ’に入り込み、排水口蓋Ｘ１の樹脂体２０の本体部２１の切欠き２１ｂを通って排水口３１へと流入する。或は、排水口蓋Ｘ１に至った水などは、金属板１０および樹脂体２０を貫通する上述の開口部（開口部１５とこれに連通する開口部２１ｃとからなる）を通って排水口３１へと流入する。このようにして、浴室床３０上の水などは排水される。また、樹脂体２０の周枠部２３の先端２３ａと金属板１０の上面１１とが面一であるため、浴室床３０上と排水口蓋Ｘ１上との間の水などの流れは周枠部２３によって阻まれることなくスムーズなものとして実現される。このような構成は、良好な排水を実現するのに適する。
【００３０】
排水口蓋Ｘ１を排水口３１の受け口３１ａから取り出す際には、樹脂体２０の本体部２１の切欠き２１ａに指を引っ掛けると取り出し作業を行いやすい。排水口蓋Ｘ１においては、受け口３１ａと排水口蓋Ｘ１との間に指を差し入れられる程度の隙間Ｇ’が確保されるように、樹脂体２０における一対の凸部２４および切欠き２１ａは寸法設計されている。
【００３１】
以上のような排水口蓋Ｘ１においては、樹脂体２０の各嵌合部２２が金属板１０の開口部１４に係止されて金属板１０と樹脂体２０との間の固定を担い、金属板１０と樹脂体２０との積層構造が一体化される。したがって、排水口蓋Ｘ１によると、排水口履設時に露出する金属板１０の上面１１によってデザイン性・掃除性に優れた金属意匠面を構成しつつ、金属板１０と樹脂体２０との積層構造をもって、排水口蓋に要求される強度を確保することができる。そのため、排水口蓋Ｘ１は、金属意匠面を有しつつも比較的軽く設計するのに適する。軽い排水口蓋Ｘ１は、排水口清掃等を行う者による取り扱いの最中に誤っ
て落されにくく、従って、誤って落されることによる危険性を低減するのに適する。また、排水口蓋Ｘ１においては、各嵌合部２２の一部たる先端部２２ａが金属板１０の上面１１側にて金属板１０から突き出る。このような構成は、上面１１ないし金属意匠面における滑り止め効果を得るのに適する。以上のように、排水口蓋Ｘ１は、金属意匠面をなす金属板１０を補強しつつ当該意匠面において滑り止め効果を得るのに適するのである。
【００３２】
また、排水口蓋Ｘ１では、樹脂体２０は黒色や濃褐色などの暗色である。このような構成は、排水口蓋Ｘ１の金属意匠面のデザイン性への影響を抑制するのに好適である。黒色や濃褐色などの暗色である嵌合部２２および周枠部２３は、排水口蓋Ｘ１が使われる浴室床３０に対して排水口蓋Ｘ１を違和感なく調和させやすい。暗色の嵌合部２２は、あたかも開口部１５および開口部２１ｃと同様の貫通孔であるかのように、視認されやすい。暗色の周枠部２３は、あたかも浴室床３０と排水口蓋Ｘ１との間の隙間Ｇ，Ｇ’の一部であるかのように、視認されやすい。
【００３３】
図６および図７は、本発明の他の実施形態に係る排水口蓋Ｘ２を表す。排水口蓋Ｘ２は、金属板１０と樹脂体２０Ａとを備える。金属板１０の構成は、排水口蓋Ｘ１の金属板１０について上述した構成と同様である。樹脂体２０Ａは、本体部２１と、複数の嵌合部２２Ａと、周枠部２３Ａと、一対の凸部２４とを有し、複数の嵌合部２２および周枠部２３に代えて複数の嵌合部２２Ａおよび周枠部２３Ａを有する以外は、上述の樹脂体２０と同様の構成を有する。
【００３４】
各嵌合部２２Ａないしその先端部２２ａは、図７（ｂ）によく表れているように、金属板１０の上面１１に張り出すアンカー部２２ａ’を有する。この点以外は、嵌合部２２Ａは、排水口蓋Ｘ１における上述の嵌合部２２と同様の構成を有する。また、周枠部２３Ａは、金属板１０から上面１１側にて突き出て上面１１に張り出すアンカー部２３ｂを有する。この点以外は、周枠部２３Ａは、排水口蓋Ｘ１における上述の周枠部２３と同様の構成を有する。
【００３５】
排水口蓋Ｘ２は、排水口蓋Ｘ１について上述したのと同様にスタンパブル成形技術によって製造することができる。
【００３６】
以上のような排水口蓋Ｘ２は、排水口蓋Ｘ１について上述したのと同様に、金属意匠面をなす金属板１０を補強しつつ当該意匠面において滑り止め効果を得るのに適する。排水口蓋Ｘ２において、嵌合部２２Ａの先端部２２ａに加えて周枠部２３Ａのアンカー部２３ｂが金属板１０の上面１１側にて突き出ているという構成は、排水口蓋Ｘ１の金属意匠面における滑り止め効果を得るのに資する。また、アンカー部２２ａ’，２３ｂが金属板１０の上面１１に張り出しているという構成は、金属板１０と樹脂体２０Ａとの間の固定に資する。
【００３７】
排水口蓋Ｘ２の金属板１０の開口部１４は、図８に示すように、金属板１０の下面１２側から上面１１側にかけて広がる形状を有していてもよい。当該開口部１４の形状に対応して、スタンパブル成形にて成形される樹脂体２０の一部である嵌合部２２Ａは、金属板１０の下面１２側から上面１１側にかけて太くなっている。すなわち、嵌合部２２Ａは、くさび形の形状で開口部１４に係止されている。このような構成は、樹脂体２０Ａの本体部２１から延出する嵌合部２２Ａの開口部１４への係止状態を高めるのに好適であり、従って、金属板１０と樹脂体２０Ａとの間を強固に固定するのに適する。
【００３８】
図９は、本発明の他の実施形態に係る排水口蓋Ｘ３を表す。排水口蓋Ｘ３は、金属板１０と樹脂体２０Ｂとを備える。金属板１０の構成は、排水口蓋Ｘ１の金属板１０について上述した構成と同様である。樹脂体２０Ｂは、本体部２１と、複数の嵌合部２２Ｂと、周
枠部２３Ａと、一対の凸部２４とを有し、複数の嵌合部２２および周枠部２３に代えて複数の嵌合部２２Ｂおよび周枠部２３Ａを有する以外は、上述の樹脂体２０と同様の構成を有する。
【００３９】
各嵌合部２２Ｂは、主部２２ｂおよび突起部２２ｃを有する。主部２２ｂは、図９(ｂ)によく表れているように、金属板１０の開口部１４内に収まって上面１１と面一である。突起部２２ｃは、開口部１４の開口サイズより小サイズで主部２２ｂ上に起立して上面１１側にて突き出ている。ここで、開口部１４の開口サイズとは、金属板１０の上面１１の広がり方向における、開口部１４の開口径などのサイズをいう。嵌合部２２Ｂの突起部２２ｃは、上面１１の広がり方向において、開口部１４の開口サイズより小さい寸法を有するのである。突起部２２ｃの突出高さは、好ましくは０．３ｍｍ以下である。突出高さが０．３ｍｍまでの突起部２２ｃであれば、排水口蓋Ｘ３を足の裏で踏んだとしても過分な刺激を感じず痛くなく、また、排水口蓋Ｘ３上を流れる水に毛髪等が混入している場合であっても当該毛髪等が突起部２２ｃに引っかからない。これらの点以外は、嵌合部２２Ｂは、排水口蓋Ｘ１における上述の嵌合部２２と同様の構成を有する。また、周枠部２３Ａは、金属板１０の上面１１側にて突き出て上面１１に張り出すアンカー部２３ｂを有する。この点以外は、周枠部２３Ａは、排水口蓋Ｘ１における上述の周枠部２３と同様の構成を有する。
【００４０】
排水口蓋Ｘ３は、排水口蓋Ｘ１について上述したのと同様にスタンパブル成形技術によって製造することができる。
【００４１】
以上のような排水口蓋Ｘ３は、排水口蓋Ｘ１について上述したのと同様に、金属意匠面をなす金属板１０を補強しつつ当該意匠面において滑り止め効果を得るのに適する。排水口蓋Ｘ３において、嵌合部２２Ｂの突起部２２ｃおよび周枠部２３Ａのアンカー部２３ｂが金属板１０の上面１１側にて突き出ているという構成は、排水口蓋Ｘ３の金属意匠面における滑り止め効果を得るのに資する。また、突起部２２ｃが開口部１４の開口サイズより小サイズであるという構成は、例えば浴室などにて本排水口蓋Ｘ３を足の裏で踏んだ場合の当該足の裏に対する突起部２２ｃの接触面積を小さくするうえで好ましく、従って、高い滑り止め効果を得るうえで好ましい。このような突起部２２ｃについては、滑り止め効果の観点から、嵌合部２２Ｂの主部２２ｂとは独立に寸法を設計することが可能である。加えて、周枠部２３Ａのアンカー部２３ｂが金属板１０の上面１１に張り出しているという構成は、金属板１０と樹脂体２０Ｂとの間の固定に資する。
【００４２】
排水口蓋Ｘ３の金属板１０の開口部１４は、図１０に示すように、金属板１０の下面１２側から上面１１側にかけて広がる形状を有していてもよい。当該開口部１４の形状に対応して、スタンパブル成形にて成形される樹脂体２０Ｂの一部である嵌合部２２Ｂないし主部２２ｂは、金属板１０の下面１２側から上面１１側にかけて太くなっている。すなわち、嵌合部２２Ｂないし主部２２ｂは、くさび形の形状で開口部１４に係止されている。このような構成は、樹脂体２０Ｂの本体部２１から延出する嵌合部２２Ｂの開口部１４への係止状態を高めるのに好適であり、従って、金属板１０と樹脂体２０Ｂとの間を強固に固定するのに適する。
【００４３】
図１１は、本発明の他の実施形態に係る排水口蓋Ｘ４を表す。排水口蓋Ｘ４は、金属板１０Ａと樹脂体２０Ａとを備える。金属板１０Ａは、上面１１と、下面１２と、複数の壁部１２’と、周側面１３と、複数の開口部１４Ａと、複数の開口部１５とを有し、複数の壁部１２’を更に有し且つ複数の開口部１４に代えて複数の開口部１４Ａを有する以外は、上述の金属板１０と同様の構成を有する。樹脂体２０Ａは、本体部２１と、複数の嵌合部２２Ａと、周枠部２３Ａと、一対の凸部２４とを有し、複数の嵌合部２２および周枠部２３に代えて複数の嵌合部２２Ａおよび周枠部２３Ａを有する以外は、上述の樹脂体２０
と同様の構成を有する。
【００４４】
金属板１０Ａの各壁部１２’は、下面１２側にて開口部１４Ａを囲むようにして設けられており、樹脂体２０Ａの本体部２１に係入している。このような壁部１２’は、金属板材に対して開口部１４Ａを形成する際のバーリング加工によって立ち上がり形成されたものである。当該バーリング加工により、金属板１０Ａの開口部１４Ａには、図１１（ｂ）によく表れているように、アール面１４’が形成されている。アール面１４’の大きさは金属板１０Ａの厚さと同程度とされており、従って、開口部１４Ａは、金属板１０Ａの下面１２側から上面１１側にかけて広がっている。
【００４５】
樹脂体２０Ａの各嵌合部２２Ａは、開口部１４Ａの形状に対応して、金属板１０Ａの下面１２側から上面１１側にかけて太くなっている。すなわち、嵌合部２２Ａは、くさび形の形状で開口部１４Ａに係止されている。また、嵌合部２２Ａないし先端部２２ａは、金属板１０Ａの上面１１に張り出すアンカー部２２ａ’を有する。これらの点以外は、嵌合部２２Ａは、排水口蓋Ｘ１における上述の嵌合部２２と同様の構成を有する。樹脂体２０Ａの周枠部２３Ａは、金属板１０Ａから上面１１側にて突き出て上面１１に張り出すアンカー部２３ｂを有する。この点以外は、周枠部２３Ａは、排水口蓋Ｘ１における上述の周枠部２３と同様の構成を有する。
【００４６】
排水口蓋Ｘ４は、排水口蓋Ｘ１について上述したのと同様にスタンパブル成形技術によって製造することができる。
【００４７】
以上のような排水口蓋Ｘ４は、排水口蓋Ｘ１について上述したのと同様に、金属意匠面をなす金属板１０Ａを補強しつつ当該意匠面において滑り止め効果を得るのに適する。排水口蓋Ｘ４において、嵌合部２２Ａの先端部２２ａに加えて周枠部２３Ａのアンカー部２３ｂが金属板１０の上面１１側にて突き出ているという構成は、排水口蓋Ｘ４の金属意匠面における滑り止め効果を得るのに資する。また、嵌合部２２Ａがくさび形の形状で開口部１４Ａに係止されているという構成は、樹脂体２０Ａの本体部２１から延出する嵌合部２２Ａの開口部１４Ａへの係止状態を高めるのに好適であり、従って、金属板１０Ａと樹脂体２０Ａとの間を強固に固定するのに適する。また、樹脂体２０Ａにおけるアンカー部２２ａ’，２３ｂが金属板１０Ａの上面１１に張り出しているという構成、および、金属板１０Ａの壁部１２’が樹脂体２０Ａの本体部２１に係入しているという構成は、金属板１０Ａと樹脂体２０Ａとの間の固定に資する。
【００４８】
図１２から図１４は、本発明の他の実施形態に係る排水口蓋Ｘ５を表す。排水口蓋Ｘ５は、金属板１０と樹脂体２０Ｃとを備える。本実施形態の金属板１０は、空いている開口部１５の数と位置に関する構成以外は、排水口蓋Ｘ１の金属板１０について上述したのと同様の構成を有する。樹脂体２０Ｃは、本体部２１Ａと、複数の嵌合部２２と、周枠部２３と、一対の凸部２４とを有し、本体部２１に代えて本体部２１Ａを有する点および嵌合部２２の数と位置に関する構成以外は、上述の樹脂体２０と同様の構成を有する。
【００４９】
樹脂体２０Ｃの本体部２１Ａは、金属板１０の複数の開口部１５と連通する広い開口部２１ｄを有する。本実施形態では、複数の開口部１５とこれに連通する開口部２１ｄとが、排水口蓋Ｘ５の金属板１０および樹脂体２０Ｃを貫通して液体が流通可能な開口部をなす。
【００５０】
このような排水口蓋Ｘ５は、排水口蓋Ｘ１について上述したのと同様に、金属意匠面をなす金属板１０を補強しつつ当該意匠面において滑り止め効果を得るのに適する。
【００５１】
本発明は、上述した実施形態の内容に限定されない。例えば、本発明は、プールサイド
の排水口蓋としても実施することができる。また、本発明に係る排水口蓋の各部の具体的な構成は、本発明の意図する範囲内において種々に設計変更自在である。例えば、金属板開口部の平面視形状は円形に限らず、楕円形や多角形であってもよいし、直線の又は蛇行する細長い溝形状であってもよい。金属板―樹脂体間の固定に係る開口部と嵌合部の数は、金属板と樹脂体との間に要求される固定の程度を充足するものであれば、適宜に設計変更可能である。また、排水用に空いている開口部の数・位置・形状についても適宜に設計変更可能である。
【符号の説明】
【００５２】
Ｘ１，Ｘ２，Ｘ３，Ｘ４，Ｘ５  排水口蓋
１０，１０Ａ  金属板
１１  上面
１１ａ，１２ａ  縁端
１２  下面
１２’  壁部
１３  周側面
１４，１４Ａ，１５  開口部
２０，２０Ａ，２０Ｂ，２０Ｃ  樹脂体
２１，２１Ａ  本体部
２１ａ，２１ｂ  切欠き
２１ｃ，２１ｄ  開口部
２２，２２Ａ，２２Ｂ  嵌合部
２２ａ  先端部
２２ａ’，２３ｂ  アンカー部
２２ｂ  主部
２２ｃ  突起部
２３，２３Ａ  周枠部
２３ａ  先端
２４  凸部
３０  浴室床
３１  排水口
３１ａ  受け口
Ｇ，Ｇ’  隙間
【図１】
0006410035.tif 000002
【図２】
0006410035.tif 000003
【図３】
0006410035.tif 000004
【図４】
0006410035.tif 000005
【図５】
0006410035.tif 000006
【図６】
0006410035.tif 000007
【図７】
0006410035.tif 000008
【図８】
0006410035.tif 000009
【図９】
0006410035.tif 000010
【図１０】
0006410035.tif 000011
【図１１】
0006410035.tif 000012
【図１２】
0006410035.tif 000013
【図１３】
0006410035.tif 000014
【図１４】
0006410035.tif 000015